(57)【要約】【課題】ユーザーが消去できない位置決め情報を埋め込むことにより、たとえ記録再生装置が暴走したり、振動などの外乱によって誤動作しても、記録された情報を読み取ることができる３次元情報記録媒体及び記録再生装置を提供する。【解決手段】位置情報記録用材料１３とデータ記録用材料１２とで記録領域１１を構成する。データ記録用材料１２におけるデータ記録用の光の吸収率よりも位置情報記録用材料１３における吸収率の方が低くなるように設定する。位置情報記録用材料１３は位置情報を埋め込むための光を吸収して反応するが、記録再生装置のデータ記録用の光を吸収し難い。また、データ記録用材料１２は記録再生装置のデータ記録用の光を吸収して反応する。【選択図】      図３
2004213705.tif 000002
【特許請求の範囲】
【請求項１】
位置情報記録用材料とデータ記録用材料とで記録領域を構成し、前記位置情報記録用材料における前記データ記録用材料にデータを記録する光の吸収率を前記データ記録用材料における前記吸収率よりも低くしたことを特徴とする３次元情報記録媒体。
【請求項２】
未記録時にはデータ記録用の領域として定義されていないデータ記録領域を有することを特徴とする請求項１記載の３次元情報記録媒体。
【請求項３】
前記位置情報記録用材料で構成した記録層と前記データ記録用材料で構成した記録層を交互に積層したことを特徴とする請求項１記載の３次元情報記録媒体。
【請求項４】
前記記録領域は、前記位置情報記録用材料と前記データ記録用材料とを含む記録層であることを特徴とする請求項１記載の３次元情報記録媒体。
【請求項５】
前記記録層を複数有し、隣り合う前記記録層の前記データ記録用材料は互いに異なる材質であることを特徴とする請求項４記載の３次元情報記録媒体。
【請求項６】
データを記録する光の光軸方向において、前記データを記録する光は前記記録領域を透過することを特徴とする請求項１乃至５のいずれかに記載の３次元情報記録媒体。
【請求項７】
前記位置情報記録用材料又は前記データ記録用材料又は前記位置情報記録用材料と前記データ記録用材料の両方がフォトクロミック材料であることを特徴とする請求項６記載の３次元情報記録媒体。
【請求項８】
前記位置情報記録用材料又は前記データ記録用材料又は前記位置情報記録用材料と前記データ記録用材料の両方がフォトポリマーであることを特徴とする請求項６記載の３次元情報記録媒体。
【請求項９】
少なくとも１つのフォトクロミック材料がジアリールエテン系の材料であることを特徴とする請求項７記載の３次元情報記録媒体。
【請求項１０】
少なくとも１つのフォトクロミック材料がフルギド系の材料であることを特徴とする請求項７記載の３次元情報記録媒体。
【請求項１１】
少なくとも１つのフォトクロミック材料がスピロピラン系の材料であることを特徴とする請求項７記載の３次元情報記録媒体。
【請求項１２】
位置情報記録用材料における位置情報の記録時と未記録時の屈折率差とデータ記録用材料におけるデータの記録時と未記録時の屈折率差を比較したときに数値が大きい方の屈折率差は数値が小さい方の屈折率差の１０倍以内の数値となることを特徴とする請求項７から１１のいずれかに記載の３次元情報記録媒体。
【請求項１３】
位置情報記録用材料とデータ記録用材料とで構成した記録領域の片面又は両面に透明な基板を設けたことを特徴とする請求項９から１２のいずれかに記載の３次元情報記録媒体。
【請求項１４】
ディスク状に形成したことを特徴とする請求項１３に記載の３次元情報記録媒体。
【請求項１５】
前記透明な基板に位置情報を埋め込んだことを特徴とする請求項１３記載の３次元情報記録媒体。
【請求項１６】
短パルスレーザーと集光レンズを備え、請求項１乃至１５のいずれかに記載の３次元情報記録媒体を光化学変化させて情報を記録、再生及び消去することを特徴とする記録再生装置。
【請求項１７】
前記情報は、媒体の位置又は媒体と装置間の位置制御に関する情報であることを特徴とする請求項１６記載の記録再生装置。
【請求項１８】
前記集光レンズが円錐レンズであることを特徴とする請求項１７記載の記録再生装置。
【請求項１９】
請求項１５に記載の位置情報により、前記集光レンズの位置を制御することを特徴とする請求項１７又は１８に記載の記録再生装置。
【発明の詳細な説明】
【０００１】
【発明の属する技術分野】
本発明は、３次元情報記録媒体及び記録再生装置に関する。
【０００２】
【従来の技術】
デジタル情報の情報記録媒体に関する技術として、光を利用して情報の記録・再生を行うものが知られている。図１３は通常の光ディスク５と光ピックアップの概略構成を示す。同図において、レーザーダイオード１から出射されたレーザー光は、コリメートレンズ２によって平行光にされ、ハーフミラー３、対物レンズ４を通して光ディスク５に到達する。そして、光ディスク５から反射したレーザー光は、ハーフミラー３と検出レンズ６を通って光電変換素子７へ到達する。このとき受光した信号を用いて対物レンズ４の位置制御を行う。このようにして、位置情報記録領域８ａやデータ記録領域９に対して情報の再生や記録が行われる。
ところで、情報記録媒体の記録容量は、年々増加の一途をたどり、記憶容量の増大に対応するため、さまざまな構造、方法が検討されている。光ディスクでは、その一つとして、データ面を複数もつ３次元多層メモリが検討されている。例えば、ＤＶＤと同じ４．７ＧＢの容量を持つ層を２００層積層できれば約１ＴＢの大容量記録媒体が得られる。
しかし、１層が０．６ｍｍの基板を張り合わせていくと、２００層では１２０ｍｍにもなり、携帯性を考慮すると実用的とは言えない。逆にＤＶＤと同じ厚さの１．２ｍｍに抑えようとすれば、１層あたりの厚さは６μｍになり、これまでのように成形プロセスを使ってグルーブを作ることは困難となる。従って、位置制御のための位置情報は、例えばハードディスクのように媒体が出来たあとに埋め込むしかない。
これに関しては、特開平１１−３２８７２４号公報には、３次元光メモリが提案されている。これは、前述のハードディスクドライブのサンプリングサーボを拡大したものである。この位置情報は、何らかの手段を用いて媒体に埋め込むことは可能である。
【特許文献１】特開平１１−３２８７２４号公報
【０００３】
【発明が解決しようとする課題】
しかし、従来の光ディスクは位置情報を成形工程にて埋め込んできており、上述のハードディスクのように媒体に位置情報を埋め込む場合に、記録再生装置によってこの情報が消去できてしまうと、例えば、装置の暴走や信号などによる外乱などによって位置情報を消してしまい、位置制御が出来なくなり、その媒体に書かれた情報を再生することが不可能となってしまう。これは、可搬性や保存性を特徴とする光情報記録媒体にとって致命的な問題となる。
そこで、本発明は、上述の問題点を解決するためになされたもので、ユーザーが消去できない位置決め情報を埋め込むことにより、たとえ記録再生装置が暴走したり、振動などの外乱によって誤動作しても、記録された情報を読み取ることができる３次元情報記録媒体及び記録再生装置を提供することを目的とする。
【０００４】
【課題を解決するための手段】
上述の問題点を解決するために、請求項１記載の発明では、位置情報記録用材料とデータ記録用材料とで記録領域を構成し、前記位置情報記録用材料における前記データ記録用材料にデータを記録する光の吸収率を前記データ記録用材料における前記吸収率よりも低くした３次元情報記録媒体を最も主要な特徴とする。
請求項２記載の発明では、未記録時にはデータ記録用の領域として定義されていないデータ記録領域を有する３次元情報記録媒体を主要な特徴とする。
請求項３記載の発明では、前記位置情報記録用材料で構成した記録層と前記データ記録用材料で構成した記録層を交互に積層した３次元情報記録媒体を主要な特徴とする。
請求項４記載の発明では、前記記録領域は前記位置情報記録用材料と前記データ記録用材料とを含む記録層である３次元情報記録媒体を主要な特徴とする。
請求項５記載の発明では、前記記録層を複数有し、隣り合う前記記録層の前記データ記録用材料は互いに異なる材質である３次元情報記録媒体を主要な特徴とする。
請求項６記載の発明では、データを記録する光の光軸方向において、前記データを記録する光は前記記録領域を透過する３次元情報記録媒体を主要な特徴とする。
請求項７記載の発明では、前記位置情報記録用材料又は前記データ記録用材料又は前記位置情報記録用材料と前記データ記録用材料の両方がフォトクロミック材料である３次元情報記録媒体を主要な特徴とする。
請求項８記載の発明では、前記位置情報記録用材料又は前記データ記録用材料又は前記位置情報記録用材料と前記データ記録用材料の両方がフォトポリマーである３次元情報記録媒体を主要な特徴とする。
請求項９記載の発明では、少なくとも１つのフォトクロミック材料がジアリールエテン系の材料であることを特徴とする３次元情報記録媒体を主要な特徴とする。
【０００５】
請求項１０記載の発明では、少なくとも１つのフォトクロミック材料がフルギド系の材料である３次元情報記録媒体を主要な特徴とする。
請求項１１記載の発明では、少なくとも１つのフォトクロミック材料がスピロピラン系の材料である３次元情報記録媒体を主要な特徴とする。
請求項１２記載の発明では、位置情報記録用材料における位置情報の記録時と未記録時の屈折率差とデータ記録用材料におけるデータの記録時と未記録時の屈折率差を比較したときに数値が大きい方の屈折率差は数値が小さい方の屈折率差の１０倍以内の数値となる３次元情報記録媒体を主要な特徴とする。
請求項１３記載の発明では、位置情報記録用材料とデータ記録用材料とで構成した記録領域の片面又は両面に透明な基板を設けた３次元情報記録媒体を主要な特徴とする。
請求項１４記載の発明では、ディスク状に形成した３次元情報記録媒体を主要な特徴とする。
請求項１５記載の発明では、前記基板に位置情報を埋め込んだ３次元情報記録媒体を主要な特徴とする。
請求項１６記載の発明では、短パルスレーザーと集光レンズを備え、請求項１から１５のいずれかに記載の３次元情報記録媒体を光化学変化させて情報を記録、再生及び消去する記録再生装置を主要な特徴とする。
請求項１７記載の発明では、前記情報は媒体の位置又は媒体と装置間の位置制御に関する情報である記録再生装置を主要な特徴とする。
請求項１８記載の発明では、前記集光レンズが円錐レンズである記録再生装置を主要な特徴とする。
請求項１９記載の発明では、請求項１５に記載の位置情報により、前記集光レンズの位置を制御する記録再生装置を主要な特徴とする。
【０００６】
【発明の実施の形態】
以下、図面により本発明の実施の形態を説明する。まず、本発明の実施の形態における３次元情報記録媒体の種類について説明する。３次元情報記録媒体は、バルク型と多層型の２種類があり、バルク型は図１のように初期状態では層の区別がなく、位置情報（位置決め情報）を埋め込み、それをもとにデータを書き込むことによって層が定義される。バルク型の場合は、位置情報がないため、媒体になった後に、外部より埋め込まなければならない。一方、多層型の代表としては、ＤＶＤなどのように、成形された２枚の基板を張り合わせるものがある（図２）。
図３は本発明の第１の実施の形態である３次元情報記録媒体１００の概略断面図である。同図に示すように、位置情報記録用材料１３とデータ記録用材料１２とでこの例では単一の記録領域１１が構成されている。３次元情報記録媒体１００では、データ記録用材料１２に対してはデータ記録用の光によって記録が行われるが、この光の吸収率が、データ記録用材料１２における吸収率よりも位置情報記録用材料１３における吸収率の方が低くなるように設定されている。
具体的には、位置情報記録用材料１３は位置情報を埋め込むための光を吸収して反応するが、記録再生装置のデータ記録用の光を吸収し難くなっている。また、データ記録用材料１２は記録再生装置のデータ記録用の光を吸収して反応するようになっている。このように、３次元情報記録媒体１００では、ユーザーが消去できない位置情報を埋め込んでいるので、たとえ記録再生装置が暴走したり、振動などの外乱によって誤動作して位置情報の場所にレーザー光が当たってしまっても、位置情報が変化することがなく、記録された情報を読み取ることができる。なお、第１の実施の形態としては、位置情報記録用材料１３とデータ記録用材料１２で別々に記録領域を構成する場合も考えられるが、本発明の第２の実施の形態はバルク型の３次元情報記録媒体として限定したものとする。
したがって、第２の実施の形態の３次元情報記録媒体は、第１の実施の形態に示した３次元情報記録媒体をバルク型のものとすることで、記録領域の３次元化により大容量化を可能にすることができる。なお、ここの説明では、第１の実施の形態は第２の実施の形態の構成要件も満たしているので、第２の実施の形態の詳細な説明は省略する。
【０００７】
次に、本発明の第３の実施の形態について説明する。図４は第３の実施の形態である３次元情報記録媒体３００の概略断面図である。同図に示すように、３次元情報記録媒体３００は、データ記録層１５と位置情報記録層１４とを交互に積層した構成になっている。データ記録層１５は、データ記録用材料１２によって構成され、位置情報記録層１４は位置情報記録用材料１３によって構成されている。図に示すように、位置情報記録層１４には位置情報８が記録される。
したがって、第３の実施の形態の３次元情報記録媒体は、第１の実施の形態に示した３次元情報記録媒体を多層型のものとすることで、記録領域の３次元化により大容量化を可能にすることができる。なお、データ記録用材料１２は１種類でも良いが、１層当りのデータ量を増やすために複数種類のデータ記録用材料を含んでも良い。さらに、積層されている記録層１５は、すべて同じ材料である方が好ましいが、特殊なデータを書き込むために、他と異なるデータ記録用材料を含んだものであっても良い。
【０００８】
図５は第４の実施の形態である３次元情報記録媒体４００の概略断面図である。同図に示すように、３次元情報記録媒体４００はデータ及び位置情報記録層１６と分離層１７とで構成され、分離層１７がデータ及び位置情報記録層１６を隔てるようにして２種類の層が積層されている。データ及び位置情報記録層１６は、データ記録用材料１２と位置情報記録用材料１３とから成っており、同一記録層内に位置情報８とデータを記録できるようにしたものである。
したがって、第４の実施の形態の３次元情報記録媒体は第１の実施の形態に示した３次元情報記録媒体を多層型のものとすることで、記録領域の３次元化により大容量化を可能にすることができる。この場合も、データ及び位置情報記録層１６に含まれるデータ記録用材料１２は１種類であっても良いが、１層当りのデータ量をふやすために複数のデータ記録用材料を含んでも良い。さらに、データ及び位置情報記録層１６は、すべて同じである方が好ましいが、特殊なデータを書き込むために、他と異なるデータ記録用材料を含んだものであっても良い。
【０００９】
図６は第５の実施の形態である３次元情報記録媒体５００の概略断面図である。３次元情報記録媒体５００は、図５の分離層１７に相当する位置にもデータ及び位置情報を書き込んだ場合の例である。データ及び位置情報記録層２１は隣り合う層に異なる記録用材料を用いている。したがって、第５の実施の形態の３次元情報記録媒体では、分離層が不要となるのでその分大容量化が可能となる。この場合も、データ及び位置情報記録層２１に含まれるデータ記録用材料１２は１種類でも良いが、１層当りのデータ量をふやすために複数のデータ記録用材料を含んでも良い。さらに、データ及び位置情報記録層２１は、分離層１７を入れ替えた隣接する２つの記録層が同じである方が好ましいが、特殊なデータを書き込むために、他と異なるデータ記録用材料を含んだものであっても良い。
【００１０】
次に、本発明の第６〜１２の実施の形態について説明する。第６の実施の形態は、データを記録する光が光軸方向において記録領域を透過する３次元情報記録媒体として構成されている。情報を埋め込む方法としては、図７の光ディスクのように１ビットごとに書き込む方法や、方法は似ているものの、円錐レンズを用いて光軸方向に同時に書き込む方法がある。図７では表層から最深層まで光が届くように示しているが、記録層に光源の波長に対する吸収があれば、各層で吸収され、最深層には光が届かない。データ、及び位置情報の記録再生用光源の光が記録領域を透過できなければ最深層に記録することは出来ない。データの記録再生においては、市販のドライブを用いているため、データ記録用の光源の波長に対する透過率は高い必要があり、少なくとも１０％以上が必要である。因みに、通常の光ディスクの記録膜の吸収率は少なくないので、５層以上の多層化は困難である。これを解消するために、短パルスレーザーを用いて非線形現象による書き込みを行うようにしている。
通常の光反応は、図８のように１つの光子が作用するが、光が強いと図９のように１光子での波長の２倍の波長（振動数は１／２）で反応が起きる。これを２光子吸収とよび、波長の３倍でも起きる。このように、ある記録用材料の整数倍の波長で吸収がなければ、この材料を用いた記録領域は、高い透過率を得ることが出来る。従って、記録用材料としては、吸収がある波長の２倍、又は３倍の波長に吸収がないものであれば良い。したがって、第６の実施の形態の３次元情報記録媒体では深層部を活用できるようになるため、大容量化が可能となる。
【００１１】
記録用材料に適したものとしては、消去できないフォトポリマーと可逆性を持つフォトクロミック材料がある。ここで、フォトクロミック材料は図１０のように波長λ１とλ２によって分子構造が変わり、吸収特性や屈折率などが変化する。そのため、第７の実施の形態としては位置情報記録用材料又はデータ記録用材料又は位置情報記録用材料とデータ記録用材料の両方をフォトクロミック材料とした３次元情報記録媒体を構成している。したがって、第７の実施の形態の３次元情報記録媒体では多光子吸収を用いることで更なる大容量化が可能となる。
位置情報については消去する必要がないためフォトポリマーの方が良く、フォトクロミック材料でも良い。また、データに関しては、書き換えるのであればフォトクロミック材料が良く、書き換えないのであればフォトポリマーが良い。フォトクロミック材料としては、ジアリールアテン系が最も良く、フルギド系、スピロピラン系でも可能である。そこで、第８の実施の形態としては位置情報記録用材料又はデータ記録用材料又は位置情報記録用材料とデータ記録用材料の両方をフォトポリマーとした３次元情報記録媒体を構成している。したがって、第８の実施の形態の３次元情報記録媒体では多光子吸収を用いることで更なる大容量化が可能となる。
【００１２】
また、第９の実施の形態としては、第７の実施の形態において、少なくとも１つのフォトクロミック材料をジアリールエテン系の材料とした３次元情報記録媒体を構成し、第１０の実施の形態としては、第７の実施の形態において、少なくとも１つのフォトクロミック材料をフルギド系の材料とした３次元情報記録媒体を構成し、第１１の実施の形態としては、第７の実施の形態において、少なくとも１つのフォトクロミック材料をスピロピラン系の材料とした３次元情報記録媒体を構成している。したがって、第９の実施の形態、第１０の実施の形態、第１１の実施の形態の３次元情報記録媒体では、市販されている材料を用いるため、安価な媒体を提供することができる。
【００１３】
ところで、図９において、書き込みの場合、２光子吸収を含む多光子吸収を用いることを述べたが、再生においては、書き込みと同じように吸収や反射がある波長を用いることが出来ない。そこで、例えば図１０で起こる屈折率変化を用いて再生する場合がある。このような場合には、記録時と未記録時の屈折率変化を電気信号に変換するため、位置情報記録用材料を含む記録層の位置情報の記録時と未記録時の屈折率差が、データ記録用材料を含む記録層のデータの記録時と未記録時の屈折率差に比べて大きな差があると、再生するときに、位置情報信号が大きくてデータ信号が読みにくくなったりすることがある。従って、２つの屈折率差の差は大きくない方が良く、１０倍以内が良い。
このため、第１２の実施の形態としては、第７〜１１の実施の形態のいずれかにおいて、位置情報記録用材料における位置情報の記録時と未記録時の屈折率差とデータ記録用材料におけるデータの記録時と未記録時の屈折率差を比較したときに数値が大きい方の屈折率差が数値が小さい方の屈折率差の１０倍以内の数値となる３次元情報記録媒体を構成している。したがって、第１２の実施の形態の３次元情報記録媒体では、再生時に、データ信号が読み難くなることがない。
【００１４】
次に、第１３の実施の形態について説明する。第１３の実施の形態では、第９〜１２の実施の形態の３次元情報記録媒体において、位置情報記録用材料とデータ記録用材料とで構成した記録領域の片面又は両面に透明な基板を設けたものである。バルク型、及び多層型両者共にビットの記録再生を行うが、ビット間の変位が大きいと、対物レンズの制御が不可能になる。これに対しては、記録領域だけで強度を上げる方法がある。例えば、記録層内に光、又は熱硬化性の樹脂を混ぜることが考えられる。しかし、この方法では、記録層内の記録用材料の濃度に影響を与える場合がある。そこで、第１３の実施の形態の３次元情報記録媒体では、ポリカーボネートなどの基材に記録領域を貼り合わせている。貼り付けに関しては、片側でも良いし、両側でも良い。ただし、記録再生の光源側の基板は少なくとも透明でなければならない。したがって、第１３の実施の形態の３次元情報記録媒体では、媒体の強度を上げ、尚且つデータや位置情報の読み取りを行いやすくすることが出来る。
【００１５】
次に、第１４の実施の形態について説明する。第１４の実施の形態では第１３の実施の形態における３次元情報記録媒体をディスク状に形成したものである。
前述のように、この媒体は、ビットの記録再生を行う。従って、高速に記録再生を行うためには、ビット間を高速に移動しなければならない。このため、第１４の実施の形態では媒体をディスク状にしている。したがって、第１４の実施の形態の３次元情報記録媒体では、ディスク状にすることで、高速に回転させることが可能となり、データの記録再生速度を上げることが出来る。
【００１６】
次に、第１６〜１８の実施の形態について説明する。第７〜１２の実施の形態で説明したように、多層メディアの記録再生を行うためには非線形現象を起こす必要があり、そのためには短パルスレーザーが必要である。さらに、位置情報８は媒体形状が完成したあとに埋め込む必要があるが、その方法としては前述のようにビットごとに書く方法だけではなく、集光レンズを円錐レンズ１８（図１１）を用いて書き込む方法がある。この円錐レンズは焦点深度が深く、これを用いれば、光軸方向に一度に情報を書き込むことが出来、処理時間の短縮が可能となる。
そこで、第１６の実施の形態の記録再生装置では、短パルスレーザーと集光レンズを備え、第１〜１５の実施の形態のいずれかに記載の３次元情報記録媒体を光化学変化させて情報を記録、再生及び消去するようにしており、第１７の実施の形態の記録再生装置は、第１６の実施の形態において、媒体の位置又は媒体と装置間の位置制御に関する情報を記録、再生及び消去するようにし、第１８の実施の形態の記録再生装置は、集光レンズとして円錐レンズ１８を採用している。
したがって、第１６の実施の形態の記録再生装置では、第１〜１５の実施の形態の３次元情報記録媒体に記録再生することができ、第１７の実施の形態の記録再生装置では、位置情報を第１〜１４の実施形態にある３次元情報記録媒体に記録することができ、第１８の実施の形態の記録再生装置では、円錐レンズ１８の採用によって、光軸方向に同時書き込みが可能となるため、短時間に位置情報を記録することができる。
【００１７】
次に、第１５の実施の形態及び第１９の実施の形態について説明する。第１５の実施の形態は、第１３の実施の形態における基板に位置情報を埋め込んだ３次元情報記録媒体である。第１３の実施の形態の３次元情報記録媒体に位置情報を埋め込む際に、位置情報の基準を、位置情報埋め込み装置に持たせる方法がある。しかし、この方法では、送り精度が高い送り機構を搭載する必要があるため、埋め込み装置が増えた場合、装置全体が高価になってしまう。
そこで、図１２のように第１３の実施の形態の３次元情報記録媒体の基板１９に位置情報２０を埋め込み、その情報を元に集光レンズを移動させれば、位置情報埋め込み装置に基準を持たせる必要がなくなるため、安価な設備になる。例えば、ＤＶＤ＋ＲＷなどのような案内溝を持つ基板を貼り合せ、案内溝からの反射光を元にサーボエラー信号を生成し、ＣＤやＤＶＤと同じように集光レンズの位置を制御すればよい。そのため、第１９の実施の形態の記録再生装置では、第１７の実施の形態又は第１８の実施の形態において、上述の位置情報により、集光レンズの位置を制御するようにしている。
したがって、第１５の実施の形態の３次元情報記録媒体では、媒体に基準となる位置情報を埋め込むことで、位置情報を書き込む装置に送り精度の高い送り機構を搭載する必要をなくし、設備を安価にすることができる。また、第１９の実施の形態の記録再生装置では、位置情報の基準を媒体から得ることによって、高精度の送り機構を位置情報書き込み設備にもつ必要をなくしているので、設備が安価になる。
なお、第１の実施の形態では、位置情報記録用材料１３が記録再生装置の光を吸収し難い例を説明したが、記録再生装置の光を吸収しないような材料であってもよい。
【００１８】
【発明の効果】
以上説明したように、請求項１によれば、ユーザーが消去できない位置情報を埋め込んでいるので、たとえ記録再生装置が暴走したり、振動などの外乱によって誤動作して位置情報の場所にレーザー光が当たってしまっても、位置情報が変化することがなく、記録された情報を読み取ることができる。
請求項２によれば、第１の実施の形態に示した３次元情報記録媒体をバルク型のものとしたので、記録領域の３次元化により大容量化を可能にすることができる。
請求項３によれば、第１の実施の形態に示した３次元情報記録媒体を多層型のものとしたので、記録領域の３次元化により大容量化を可能にすることができる。
請求項４によれば、第１の実施の形態に示した３次元情報記録媒体を多層型のものとしたので、記録領域の３次元化により大容量化を可能にすることができる。
請求項５によれば、分離層が不要となるのでその分大容量化が可能となる。
請求項６によれば、深層部を活用できるようになるため、大容量化が可能となる。
請求項７によれば、多光子吸収を用いることで更なる大容量化が可能となる。
請求項８によれば、多光子吸収を用いることで更なる大容量化が可能となる。
請求項９によれば、市販されている材料を用いるため、安価な媒体を提供することができる。
請求項１０によれば、市販されている材料を用いるため、安価な媒体を提供することができる。
請求項１１によれば、市販されている材料を用いるため、安価な媒体を提供することができる。
請求項１２によれば、再生時に、データ信号が読み難くなることがない。
請求項１３によれば、媒体の強度を上げ、尚且つデータや位置情報の読み取りを行いやすくすることが出来る。
請求項１４によれば、ディスク状にすることで、高速に回転させることが可能となり、データの記録再生速度を上げることが出来る。
請求項１５によれば、媒体に基準となる位置情報を埋め込むことで、位置情報を書き込む装置に送り精度の高い送り機構を搭載する必要をなくし、設備を安価にすることができる。
請求項１６によれば、第１〜１５の実施の形態の３次元情報記録媒体に記録再生することができる。
請求項１７によれば、位置情報を第１〜１４にある３次元情報記録媒体に記録することができる。
請求項１８によれば、円錐レンズ１８の採用によって、光軸方向に同時書き込みが可能となるため、短時間に位置情報を記録することができる。
請求項１９によれば、位置情報の基準を媒体から得ることによって、高精度の送り機構を位置情報書き込み設備にもつ必要をなくしているので、設備が安価になる。
【図面の簡単な説明】
【図１】バルク型の３次元情報記録媒体の断面の概略図である。
【図２】２枚の基板を張り合わせて構成した記録媒体の断面の概略図である。
【図３】３次元情報記録媒体１００の断面の概略図である。
【図４】３次元情報記録媒体３００の断面の概略図である。
【図５】３次元情報記録媒体４００の断面の概略図である。
【図６】３次元情報記録媒体５００の断面の概略図である。
【図７】第６の実施の形態を説明する図である。
【図８】１つの光子作用による光反応を説明する図である。
【図９】２つの光子作用による光反応を説明する図である。
【図１０】フォトクロミック材料の光異性化を説明する図である。
【図１１】記録再生装置において集光レンズとして円錐レンズ１８を採用した場合を説明する図である。
【図１２】第１５の実施の形態及び第１９の実施の形態を説明する図である。
【図１３】通常の光ディスクと光ピックアップの概略を示す図である。
【符号の説明】
１  レーザーダイオード、２  コリメートレンズ、３  ハーフミラー、４  対物レンズ、５  光ディスク、６  検出レンズ、７  光電変換素子、８、２０  位置情報、８ａ  位置情報記録領域、９  データ記録領域、１１  記録領域、１２データ記録用材料、１３  位置情報記録用材料、１４  位置情報記録層、１５データ記録層、１６、２１  データ及び位置情報記録層、１７  分離層、１８円錐レンズ、１９  基板、１００、２００、３００、４００、５００  ３次元情報記録媒体
【図１】
2004213705.tif 000003
【図２】
2004213705.tif 000004
【図３】
2004213705.tif 000005
【図４】
2004213705.tif 000006
【図５】
2004213705.tif 000007
【図６】
2004213705.tif 000008
【図７】
2004213705.tif 000009
【図８】
2004213705.tif 000010
【図９】
2004213705.tif 000011
【図１０】
2004213705.tif 000012
【図１１】
2004213705.tif 000013
【図１２】
2004213705.tif 000014
【図１３】
2004213705.tif 000015